(57)【要約】      （修正有）【課題】開封時の陰圧の発生を抑制するとともに、開封操作力をヒートシール面に効率よく作用させることによって、子供でも容易に開封できる易開封構造を提供する。【解決手段】上記課題は、袋体の少なくとも一辺のフィンシールが剥がれシールに形成され、該フィンシールに一対の摘み代Ａ１３，摘み代Ｂ１４が該フィンシールの長手方向と直角の方向に袋面を介して正対して設けられていることを特長とする包装袋体の易開封構造によって解決される。【選択図】図１０
2016150781.tif 000002
【特許請求の範囲】
【請求項１】
袋体の少なくとも一辺のフィンシールが剥がれシールに形成され、該フィンシールに一対の摘み代が該フィンシールの長手方向と直角の方向に袋面を介して正対して設けられていることを特徴とする包装袋体の易開封構造
【請求項２】
該袋体が背貼り部を有し、該背貼り部が摘み代の一方になっている請求項１の包装袋体の易開封構造
【請求項３】
該フィンシールに一条のひだ折り部が該フィンシールの長手方向と直角の方向に設けられ、該ひだ折り部が摘み代の一方になっている請求項１又は２記載の包装袋体の易開封構造
【請求項４】
該ひだ折り部のフィンシールに交差する部分がヒートシールされ摘み部を形成する請求項３記載の包装袋体の易開封構造
【請求項５】
該フィンシールの長手方向に条シールがさらに設けられている請求項１ないし４のいずれかに記載の包装袋体の易開封構造
【発明の詳細な説明】
【技術分野】
【０００１】
本発明はプラスチックのフィルムやシートの包装袋のヒートシール面の開封の容易な摘み開封構造に関するものである。
【背景技術】
【０００２】
プラスチックのフィルムやシートを使った袋の製袋やそこに製品を充填した後の封緘には、プラスチックの熱可塑性を利用したヒートシールが使われている。
【０００３】
この包装では胴部のたるみ部分を摘まんで、内側から開封している。
【０００４】
この包装袋の別の開封方法として、別に加工された切り口（ノッチ）を起点にして包装の一部を切り裂く方法がある。切り口の細工、切り裂きの方向性を規制する加工等が要求される。
【０００５】
本発明者は、長きにわたりヒートシールについて研究し、ヒートシールの易開封構造についても、袋体の剥がれヒートシール部の根元縁に隣接して、タブが連設された柔軟構造物を接着して、このタブを引っ張る方法を開発した（特許文献１）。
【先行技術文献】
【特許文献】
【０００６】
【特許文献１】特許第５４３５８１３号公報
【発明の概要】
【発明が解決しようとする課題】
【０００７】
剥がれを利用した開封では、特別な加工等をせずにヒートシール幅、ヒートシール強さ、接着状態等を経験則によって選択しているが、摘まみ方の相違で開封が不安定となったり困難になる場合が多い。
【０００８】
袋物包装品の別の開封方法として、加工された切り口（ノッチ）を起点にして包装の一部を切り裂く方法がある。切り口の細工、切り裂きの方向性を規制する加工等が別途要求される。
【０００９】
切り欠き開封の方法では、開封後に切りとり部が袋から取り去られるので、“ゴミ”ができて周辺の美粧性を損なっている。
袋の一部が切り取られ、袋の容積が減少するので、残った中身の保存のための袋の一部を折り曲げる再封止が困難になったり、思わぬ方向に破れて、中身がこぼれてしまうことが通常的に起こって、バリアフリーの筆頭に挙げられている。
【００１０】
従来の切り裂きや摘み開封方法では開封開始箇所を限定したり、開口の大きさを調節することは困難である。中身を別の容器に移し替えたいような用途の場合には、ハサミやカッターを使って限定箇所を切った上で、ロートの適用が必要である。そして注ぎ口の付設する展開になっている。
【００１１】
本発明者が先に開発した特許文献１の方法は、その従来技術より易開封性を高めたものであるが、それでも最低開封力が８Ｎ程度であり、更に容易に開封できる開封構造の開発が望まれていた。また、摘み片の製作と貼付が必要であり、製造工程のさらなる簡略化が望まれていた。
【００１２】
正方形に４方シールされた袋（パウチ）の開封を例にして、通常的に行われている胴部摘まみの開封性の課題を整頓する。
【００１３】
袋の両側の表裏２点の摘み開封の荷重メカニズム解析の片側を図１に示した。対角線の交点のＡ点を摘まんで引っ張ると開封力は円状に分布するから袋のヒートシール面の内側の内接点に先ず荷重が掛る。応力点は４か所になるから、同時に４か所の剥がれが進行するので開封力は一か所の４倍になる。
【００１４】
Ａ点を開封点に選ぶと開封したいヒートシール面の選択ができない。適切な開封点は交点Aを通る水平線上の剥がしたいヒートシール面に近いヒートシール線側の選択に制限される。  図１ではＡ→Ｂ→Ｃ→Ｄに移転させる配慮が必要となる。
【００１５】
摘み開封操作によって、内部が陰圧になるので内容積変化が最小になる開封操作が求められている。ヒートシールの内側線上のＤ点を選択すれば、摘みによる容積変化量は最小になることが分かる。
【００１６】
従来の摘み開封の開封力発現のメカニズムを図２によって解析する。摘み点４に開封力が加わると、開封操作力は先ずヒートシールエッジの剥がれ起点５（図２の★点）に加わり、順次、剥がれライン６が円弧状に拡大する。１次的には開封力は剥がれの円弧長に接着強さ(ヒートシール強さ)を乗じたものになる。
【００１７】
実際の摘み個所は点ではなく図３に示したようにＷの幅の線状(摘み線)１０になる。この場合のヒートシールエッジに掛かる荷重線は円弧の合成で、点から幅に変化する。初期開封力は点から幅Ｗ(摘み線１０)とヒートシール強さの関係になる。折り代を大きくとるとＷは拡大して開封力は比例的に増加する。
【００１８】
開封力（Ｆｏ）は接着面のヒートシール強さ（Ｆｈｓ／１５ｍｍ）と円弧長（１５ｍｍの倍数）の積で表現できる。
【００１９】
人手の開封力は開封者が出せる力によって異なる。健常の子ども、成人男女の出せる開封操作力（圧着による摩擦力）を次の方法で計測した。
スナック包装袋の一部を約２０ｍｍの幅に切り取り、一方を携帯用の荷重計のグリッパーに挟む。利き手で荷重計を保持し、他方を非利き手で摘まんで指先の摘みが滑り始めるまで引張試験をした。この時の最大の指示値を採取し、次のような結果を得た。
＜1＞小学生低学年(男）：７〜１０Ｎ、＜2＞小学生高学年(男）：１０〜１８Ｎ、＜3＞成人男子：１０〜２０Ｎ、＜4＞成人女子：１０〜１５Ｎ
この測定結果から適用できる開封操作力の範囲を６〜２０Ｎに選択する。
袋の胴部を摘まむ開封方法では、小サイズや充填率の高い（隙間の小さい）仕上がり袋では摘み線を作り難い欠点がある。
【００２０】
胴摘み部の開封にはもう一つの阻害要因がある。開封操作が進行すると摘み点と開封したいヒートシール線との距離を辺とした立方体が形成されるから、開封操作によって包装袋内の容積は増加するので、袋内は陰圧になる。すると大気圧によって袋は押しつぶされて、開封操作による２次的な開封阻害要因が発生する。
【００２１】
更に開封が立体状になることによって、操作荷重線は剥がれ線に直角にならなくなり操作力の効率が減じられ、より大きな開封力が必要になる。
【００２２】
従来のヒートシール面の剥がし開封の議論はヒートシール強さを主体に論じられてきた。しかし開封操作点の選択移動による開封力の増加や変化の的確な論議がなされていない。
【００２３】
本発明者は易開封に関係する次の６点の要素の影響を明確にした。（図２、３参照）
（1）剥がれ線長を支配する要素群
1）荷重基点とヒートシールエッジまでの距離：（Ｌ）
2）開封荷重の摘み線１０の幅：（Ｗ）、折り代の約２倍
3）剥がれ奥行（ヒートシール幅）（Ｃ）
（2）ヒートシール面の接着力
4）ヒートシール強さ：（Ｆｈｓ）
（ヒートシール強さの発現要素；・包装材料の基本性能、・溶着面の加熱温度帯）
（3）開封力の制限
5）人の操作力：（Ｆｓ）（子ども、大人、老人の相違を反映）
（4）材料の伸び開始力又は破断強さの制限
6）適用材料の開封操作幅（Ｗ）の伸び開始力又は破断強さ：（Ｆｅ）
7）適用材料の剛性（厚さ、硬さ）
（5）開封操作による形状の変化
8）袋内部の陰圧の発生で、大気圧によってヒートシールエッジが押しつぶされる
9）形状変移に材料の剛性が作用する
袋包装の胴部の摘み開封操作では、密封状態で内部容積が増加して陰圧になるから大気圧で剥がれ面が押し付けられるので、開封力がヒートシール線に荷重しなくなる現象がある。従って、開封操作での内部容積の変化を小さくする考慮が必要である。
【００２４】
本発明の目的は、開封時の陰圧の発生を抑制するとともに、開封力をヒートシール面に効率よく作用させることによって、子供や障害者でも容易に開封できる易開封構造を提供することにある。
【課題を解決するための手段】
【００２５】
本発明者はヒートシール面を利用した易開封を達成するために、開封力をヒートシール面に直接かつ直角に付与する構成によって、操作力の分散を抑え、剥がし操作開始時の容積変化をなくし、開封阻害要因の影響の極小化を図った。
【００２６】
一つの加熱サンプルから同一のカット幅の試料二つ作る。片方の試料のヒートシールされていない部分を１ｃｍ位カットして、長さの異なる試験片を作った。
【００２７】
図４に示したような構成で、両端を揃えて引張試験を行った。
この試験片の摘み点を共通にして一方を固定ジョー、他方の引張ジョーに挟んで引張試験を行った。この場合、２片の長さが異なるので引張の始めはＡのみの剥離操作が行われる。この時の引張強さはこのサンプルの接着強さを示している。接着幅が１５ｍｍの接着強さを［ヒートシール強さ］と定義（JIS Z 0238）している。
【００２８】
引張操作が進行して他方と合わさると、２面の接着面が同時に剥離される。力学的には加算値になる。
【００２９】
ヒートシールの接着強さは数μｍのギャップや加熱温度斑で熱接着は不均一になるので、実際は一対の合成剥離力は約２倍になった。この測定事例を図５に示した。開封操作力は接着強さの２倍が最小になる。
【００３０】
本発明は、これらの着想および知見からなされたものであり、図６(a)に示したように袋体の上部又は底部の一辺のフィンシールが剥がれシールに形成され、該フィンシールに一対の摘み代が該フィンシールの長手方向と直角の方向に袋面を介して正対して設けられていることを特徴とする包装袋体の易開封構造を提供するものである。
【００３１】
「摘み代」１３、１４は筒状の袋材料に二つの「ひだ折り部（フィン）」を正対して作る。そして上部と下部の両端を畳んで、上部と下部のヒートシール部２を作るときに一緒に圧着加熱する。交差シール部を「摘み部」４３、４４とする。
【００３２】
本発明の開封操作は「摘み部」に連結する約１０ｍｍの非ヒートシール部が「摘み面」４５、４６となる。「摘み代」は「摘み部」を含む当初のひだ折り部全体を言う。
製品が充填されて後の非シール部のフィン１６(図7（A）参照)は拡張してガセット折り製袋と同様な機能を果たし、開封操作には直接関与しなくなる。
【００３３】
この本発明は、次のような特徴を有している。
（１）ヒートシール面を剥がれシールとする。
（２）開封操作力がヒートシールの剥がし線に集中するように直角に負荷する。（図７（Ｄ）参照）
【００３４】
（３）開封開始直後に内外部を貫通させ袋内の陰圧の発生を解消する。
（４）開封力がヒートシール強さとヒートシール幅のみで決定されるように「摘み部」４３、４４を構成する。
【００３５】
（５）加熱温度の選択で、ヒートシール強さを調節して、開封操作力を４〜２０Ｎになるようにする。好ましくは５〜１８Ｎにして、すべての年齢層に易開封を適用できるようにする。
【００３６】
図８は「層間剥離」する材料のヒートシール特性の事例である。Ａ点は溶着面温度が９０℃のヒートシール強さで約３Ｎ／１５ｍｍを示している。Ｂ、Ｃ点は１０６℃、１１０℃の加熱のヒートシール強さを示している。
【００３７】
（６）図９はヒートシール幅を１２ｍｍの試料の本発明による開封力の実際を示したものである。開封力値は（１２ｍｍ／１５ｍｍ）×（ヒートシール強さ）×２＝１．６×(ヒートシール強さ)の値を示している。ヒートシール強さ４Ｎ／１５ｍｍの場合は、４×１．６＝６．４Ｎ／１２ｍｍとなる。同様にヒートシール強さが７Ｎ／１５ｍｍ、１０Ｎ／１５ｍｍでは、約１１Ｎ／１２ｍｍ、約１３Ｎ／１２ｍｍとなる。
【００３８】
（７）一操作で開封が完了できるようにする。
【発明の効果】
【００３９】
本発明の効果を次に列挙する。
（１）開封用のノッチの加工を省略できる。
（２）ヒートシール面を利用した易開封が可能になった。
（３）不適正な摘み箇所の選択法を排除した。
（４）最も確実な剥がし開封の利用を可能にした。
（５）開封力の分散を極小化し、開封操作力をヒートシール強さの約２倍にできた。
（６）開封開始線を側面に移動して、開封口の大きさと位置の調節で、注ぎ口の機能を付加できた。
（７）高齢者／障碍者の開封操作を容易にし、易開封のユニバーサルデザインに反映できる。
（８）ヒートシール製品の製造工程を簡略化した。
（９）長年月の易開封の課題を解消した。
【図面の簡単な説明】
【００４０】
【図１】開封性に関係する応力メカニズムを説明する正方形の４方シール袋の平面図である。
【図２】開封性に関係する応力メカニズムを説明する、袋のヒートシール部周辺の平面図である。
【図３】胴部摘み開封の剥がれ線長のシミュレーション方法を説明する袋のヒートシール部周辺の平面図である。
【図４】長さの異なる２つのヒートシール片を合わせて引張り試験を行う状態を示す正面図と側面図である。
【図５】その開封の進行に伴う開封強さの変化を示すグラフである。
【図６】本発明の一実施例である易開封構造が付与された二方と三方シール袋の斜視図である。
【図７】図６の三方シール袋の中間部分を省略した平面図とその開封方法を説明する端面図である。
【図８】ある市販材料の溶着面温度とヒートシール強さの関係を示すグラフである。
【図９】ヒートシール強さと開封力の関係を求めた結果を示すグラフである。
【図１０】開封操作荷重の付与箇所の説明
【図１１】摘み代を側縁部近傍に移動させて開封する状態を示す端面図である。
【図１２】ガセット袋の背貼り部を移動させて、この背貼り部とガセット折り部の一方を摘み代に用いて開封する状態を示す端面図である。
【図１３】摘み代用の増設フィン（ひだ折り部）を設けた袋の例の平面図である。
【図１４】直線状にヒートシールしたガセット袋と曲線状にヒートシールした例を示す平面図である
【図１５】条シールを形成するヒートシール装置でガセット袋をヒートシールしたときの経過を示す断面図である。
【図１６】２種類の弾性体について、条突起の高さと発生応力の関係を測定した結果を示すグラフである。
【図１７】条突起の埋没代と圧着圧の関係をモデル化して説明するグラフである。
【発明を実施するための形態】
【００４１】
（１）本発明の適用袋の大きさや仕様の説明
本発明の袋体は、開封されるヒートシール部を有するものであればよく、チューブの上下両端をヒートシールした二方シール袋、三方シール袋、４方シール袋、背貼り（合掌貼り；ピロー袋）構造を有する袋、ガゼット袋等を挙げることができる。（図６参照）
【００４２】
袋体は、プラスチックを内面とするフィルム又はシートで形成され、このフィルムやシートは、単層であっても複数の層よりなる積層体であってもよい。また、積層体は全部がプラスチックで形成されていなくてもよく、例えばアルミニウム箔などを含むものであってもよい。
【００４３】
内面のプラスチック種類はヒートシールできるものであればよいが例えば、ポリエチレン、エチレン共重合体、ポリプロピレン、ポリプロピレン共重合体等のポリオレフィン等を例示することができる。
【００４４】
通常の剥がれシールは対向する接着面が剥離する「界面剥離」である。意図的に設計されたシーラント内部が開封力で破壊する「凝集剥離」や「層間剥離」を有する材料に本発明を適用すれば、材料の設計仕様に沿ったよりよい効果的な易開封を実施することができる。
【００４５】
シーラントの厚さは特に制限されないが、通常３〜２００μｍ程度、典型的には５〜１５０μｍ程度である。袋体の大きさは、特に制限されないが、通常縦２〜１００ｃｍ程度、例えば２〜６０ｃｍ程度、横２〜１００ｃｍ程度、例えば２〜６０ｃｍ程度である。
【００４６】
ヒートシールには、溶着されて形成された破れシールと、軟化状態で圧着されて形成され引張れば剥がれるシールがある。本発明の袋体は、開封しようとするヒートシール部が剥がれシールよりなっていれば、他方のヒートシールは、破れシール、剥がれシールのいずれであってもよい。
【００４７】
開封しようとする位置は特に制限されないが、本発明ではいずれかの辺のフィンシールを開封するフィンシールとする。剥がれシールと破れシールの形成方法は、本発明者が先に出願した特許第３４６５７４１号、特許第３３１８８６６号、特許第３８１１１４５号公報、などに詳細に説明されている。
【００４８】
この開封するフィンシールは、幅が３〜２０ｍｍ程度、通常５〜１５ｍｍ程度、ヒートシール強度が２〜１０Ｎ／１５ｍｍ程度、好ましくは３〜８Ｎ／１５ｍｍ程度の剥がれシールであることが適当である。
【００４９】
本発明の易開封構造の開封力は開封するフィンシールの高さの選択と加熱温度の調節によるヒートシール強さの選択の二つの要素の組み合わせで制御できる特長を有している。
【００５０】
本発明の易開封構造は、この開封するフィンシールに一対の摘み代を該フィンシールの長手方向と直角の方向に袋面を介して正対して設けたところに特長がある。
【００５１】
（２）摘み代の作成方法
袋体がピロー袋などで合掌貼りが形成した背貼り部を有するときは、この背貼り部を一方の摘み代に利用することが好ましい。
【００５２】
ピロー袋の背張り部を一方の摘み代に利用する方法で摘み代の作成方法を説明する。ピロー袋はロール状の材料を引き出して、端部を合掌貼りに熱接着して筒状にする。引き出された筒方向に直角方向にヒートシールして袋の底部を作る。この後に製品を充填して、上部も筒方向に直角方向にヒートシールする。
底部と上部のヒートシールの際に背張り部は折りたたまれて２度目の加熱を受ける。
【００５３】
本発明では、胴部の一部をひだ折りして背張り部に対向するようにフィン（摘み代）を作成し、摘み代の他方作成する。
【００５４】
作成したフィンは予備シールをせずに、背張り部と反対方向に折り曲げて、底部及び上部のヒートシールと同時に行う。従ってフィンのヒートシール面は底部と上部の交差部のみでひだ方向の胴部のシールは行わないから、ひだ部はガセット袋と同様な利用ができる特長がある。交差シール部が主たる摘み部４３、４４になる。（図１０（Ｂ）参照）
【００５５】
自動工程では袋の底部と上部は同時に作成し、シール面の中央付近を横断して自動カットして上部シールと次の袋の下部シールとする。本発明は従来方法を準用できる。
【００５６】
（３）摘み部の根元部位置の説明
一対の摘み部４３、４４は袋体を介して正対させる。正対させるとは、両摘み代の根元部１８の位置を一致させることであり、根元部１８の正対ズレは２ｍｍ以内、好ましくは１．５ｍｍ以内にするようにする。この場合は底部／上部のシール交差部（摘み部）の中心付近を摘まめばよい。（図１０（Ｂ）参照）
摘み部の正対ズレとは両摘み部の根元部が平行な状態を含む。
【００５７】
（４）摘み面４５、４６の荷重点の説明
指先の摘み面に朱肉を付けて、実際の摘み開封を行った。この時に摘み部４３、４４についた朱肉マークを計測した。摘み操作で材料に圧接する大きさは６〜１０ｍｍのほぼ円形で、中心部に力が集中する。（図１０（Ａ、Ｂ）参照）
【００５８】
摘み部４３、４４の正対ズレは３ｍｍ以上になると直角方向の応力は接着面が剪断開封になって開封開始が困難になる。（図１０（Ｃ）参照）
摘み部４３、４４の根元部のズレは２０ｍｍ以内、好ましくは１０ｍｍ以内の場合は次のようにする。
【００５９】
摘み面Ａ、Ｂの中心をヒートシール線の内側から５〜１０ｍｍに移動して（図１０（Ｂ）参照）ヒートシールエッジから開封を開始する。
【００６０】
（５）摘み代用のフィン突出高さ２１、２２の制限の説明
各摘み代は、開封のために摘み部４３、４４を互いに離隔方向に引張る際に、指で摘まめる大きさと開封力に耐える強さがあればよく、形状は問わないが、少なくとも３ｍｍの円形の摘み面４５、４６を必要とする。
【００６１】
摘み代の開封するフィンシールからの突出高さ２０、２１は開封の基本機能に影響しないから、摘み荷重面の確保できればよいので５ｍｍ以上あればよい。
上限は取扱い性や美粧性の観点から２０ｍｍ程度までである。好ましい長さは５〜２０ｍｍ程度、より好ましくは５〜１５ｍｍ程度である。
【００６２】
増設する摘み代のフィン１５、１６を新しい包装形態に展開するなら２０ｍｍ以上にすることは一向に構わない。（図１３参照）
【００６３】
（６）開封操作の官能試験結果の説明
ヒートシール強さが約４Ｎ／１５ｍｍ、ヒートシール幅が１２ｍｍで摘み部の根元部のズレが約１ｍｍ離れた摘み部を有する試料を用意した。開封力は約６．４Ｎである。（図８のＡ点の加熱温度試料）
【００６４】
生活習慣の未だ少ない６歳位の幼児にこの試料を与えた。開封箇所の説明のみで開封操作を試したところ、少々の試行の後、ヒートシール線の内側の数ｍｍの摘み点を探し出し容易に開封した。そして目を輝かせて「気持ちが良い」と言った。小学生、中学生の小人の試験でも同様な反応を示した。（図１０（Ｂ）参照）
【００６５】
彼らは、摘み代を利用した開封操作方向と発生する開封力のベクトルの相違を感じ取って、官能的にベクトルを合わせる潜在的操作が作用したと推察できる。更に「気持ちが良い」と言う感想は、市場の袋物包装品の難開封性が幼児時代からの苦痛として生活習慣に浸み込みつつあることが分った。
【００６６】
易開封技術の開発は人々の生活に豊かさを与えるものである。本発明の摘み代開封方法は消費者レベルに容易に浸透できるものと推察する。
【００６７】
（７）一方の摘み代にガセットフィンを利用する説明
ガセットが付設されたピロー袋の場合は、ガセット折り部を一方の摘み代に利用できる。
【００６８】
ピロー袋の背貼り部をガセット折りの根元部まで移動させて、他方の摘み代とする。従って摘み代フィンの追加設置が不要になる。図１２にガセット折りの一つを摘み代フィン利用した場合の開口部の形成の様子を示した。
【００６９】
（８）開口部調節方法の説明
フィンシールの長手方向の全開口を実施する場合には、摘み代を中央付近に構成する。一方、摘み代を袋の側縁側に寄せれば、開口位置と開口寸法を調節することができ、それによって所望の大きさの開封口を左右どちらかの位置を指定できる。図１１に示した例は、開封制限代２４の２倍の開封口を正面に向かって右側に作った。
【００７０】
（９）別作の摘み片の作成方法の説明
摘みフィンが設置してない平面袋に本発明の適用の仕方を説明する。
突出高さが５ｍｍ以上、横幅が約３０ｍｍ、縦幅が約１５〜３０ｍｍで柔軟性のある逆Ｔ字型の摘み片を別に作成する。
【００７１】
摘み片の平面部の上端が対象の剥がれシールフィンの外側に合わせる。下端部が内側のヒートシールエッジより約１０ｍｍ下方に位置できるように縦幅の調整をした摘み片を作る。
【００７２】
摘み片の材質は開封力に耐える加工紙、プラスチックシート、金属シートが適用できる。
【００７３】
摘み片のフィンシールに対する接着強さは、開封の際に剥離しなければよく、少なくともフィンシールのヒートシール強さより強くする。好ましくは１０〜１５Ｎ／１５ｍｍ程度あればよい。
【００７４】
接着させるノリ代部分に接着剤を塗布しておいて、開封の際に接着させることもできる。この場合、例えば両面接着テープなどを利用できる。
摘み片は摘みフィンの設置の仕方と同様に剥がれシールフィンの両側の摘み部に貼り付ける。
【００７５】
通常のピロー袋に適用するにはピロー袋の背貼りを一方の摘み代に利用できるので、一つの摘み片を対面に貼り付ければよい。
【００７６】
（１０）段差シール部の不具合説明
ところで、本発明の易開封構造において、摘み代の作成によって、段差部が生成する。通常の加熱方法では段差部が完全にヒートシールされず、ガス漏れが生じることを本発明者は見出した。
【００７７】
摘み代としてひだ折り部を設けた場合、その根元部には段差ができるからヒートシールが不完全になりやすい。
【００７８】
そこで、本発明者は、その対策として、帯状のヒートシールにさらに条シールを追加した複合シールのきる加熱方法を適用して、この問題を解決し、これを特願２０１４−１６９０３５号として特許出願した。
【００７９】
この条シールの構成例を図１４に示す。図１４（ａ）は、背貼り部（センターシールフィン）を有するガセット袋に適用した例であり、左右両側に折込幅２０ｍｍのガセット部を有する全幅１３０ｍｍのガセット袋の上端に幅１５ｍｍのヒートシール部が剥がれシールで形成され、その内縁から１０ｍｍのところに条シールが設けられている。
【００８０】
図１４（ｂ）は上縁が曲線状にヒートシール部が剥がれシールで形成され、その上縁近傍に条シールが同じ曲線状に形成されている。
【００８１】
この条シールの形状は、幅が０．０５〜２ｍｍ程度、好ましくは０．１〜１．５ｍｍ程度、特に好ましくは０．１〜１ｍｍ程度、そして突起の高さは０．０５〜２ｍｍ程度、好ましくは０．１〜１ｍｍ程度である。また、条シールの位置は、開封端に設けることが好ましく、袋のシール内縁から６０〜９０％程度、好ましくは７０〜８０％程度の位置とするのがよい。
【００８２】
条シールの本数は原則１本であるが、複数本、例えば２〜３本を設けてもよい。この条シールを形成する装置は、加熱体の一方の加熱平面に条突起を設けたところに特徴がある。
【００８３】
この条シールを含むヒートシールを図１５に模式的に示す。これはガセット袋の端部をヒートシールする状態を示すものであり、一対の加熱体３１、３２のうち、下部の加熱体３２の上面である加熱面には弾性体４２のシートが設置され、上部の加熱体３１の下面である加熱面の長手方向の中心より外縁側には条突起４１が設けられている。
【００８４】
この条突起４１の高さは点線ａ−ｂの長さになる。２つの加熱体３１、３２の間にガセット袋の端部を挟んだ状態を同図（ａ）に示す。次いで、この上部の加熱体３１を下降させると、同図（ｂ）〜（ｄ）に示すように、その押し潰し荷重によりガセット袋が弾性体４２にめり込む。
【００８５】
そして、同図（ｃ）に示すように、４枚部であるガセット折部２７と段差部が条突起４１による局部圧着の塑性変形で密着され、２枚部３７も同図（ｄ）に示すように弾性体の変形で圧着される。ｃ−ｆが最大埋没代ｄ３に相当する。実際は０．４〜２ｍｍである。
【００８６】
（１１）平面接着の併設の理由
条突起の局部圧着による段差部の密着が可能である。しかし、できあがった細い条突起シール線に外力が直接掛かるとシール線は破損しやすいので、周辺に剥がれシールの平面接着部を併設し、その剥離エネルギーを利用して防御する。
【００８７】
条突起４１の一定量の埋没後に平面圧着を開始すれば、圧着荷重が局部圧着に終始せず分散できるから、過荷重で局部圧着部位の破断を自己制御できる特徴が得られる。
【００８８】
条突起部と平面部の接着を別々の工程に分けることも可能であるが、装置が複雑になったり、２度加熱すると初めの加熱で接着面の結晶化が起こり［Hishinuma効果］（参考文献：「缶詰時報」；Vol.91,No.11, p.21−34, 2012 ）で接着能力が喪失するので不適である。
【００８９】
一回の加熱圧着操作で２つの要求を同時達成すれば、良好な加熱制御ができると共に工業的に簡潔で極めて有効な方法になる。
【００９０】
局部圧着から面加熱に移行する条突起の寸法の決定
常温下で、ショア―硬さがＡ５０、Ａ７０、Ａ８０の厚さ１〜５ｍｍの耐熱シリコンシート上に直接（プラスチック材を置かず）０．２ｍｍ、０．３ｍｍ、０．５ｍｍ、０．９ｍｍ（条突起高さ相当）の条丸棒を置いて圧縮試験を行った。
【００９１】
局部圧着のバラツキを考慮して、圧着板は１ｃｍ×２ｃｍとした。長さが２ｃｍの丸棒は圧着板の長手方向の中心部に配した。測定結果は圧着面積を１ｃｍ２と条突起の長さの１ｃｍ当たりに換算した。
【００９２】
測定結果の代表例を図１６に示したように、条丸棒太さ(条突起高さ)の埋没後に平面圧着に移行する分岐点のあるグラフが得られた。
【００９３】
条突起の高さが０．１〜０．９ｍｍの計測範囲では太さに関係なく、条突起の埋没荷重は直線的に上昇するほぼ同一の特徴を示した。
【００９４】
図中に条突起に要求される荷重の３０、４５、６０Ｎに相当する埋没代の補助線をＹ軸に付記した。図１６図の結果から、本発明の圧着操作における条突起部１１の先端と平面部の荷重メカニズムのシミュレーションを図１７を用いて説明する。
【００９５】
図１７の各記号を次のように定義する。
ｄn；条突起の高さ
ｄ1；条突起が埋没する直前のゴム板の撓み代（突起部のみ）
ｄ2；４面部の埋没直前のゴム板の撓み代（突起部を含む）
ｄ3；２面部の埋没が付加した後のゴム板全体の撓み代
ｆ1；条突起の埋没直前の押し込み力  （Ｎ）
ｆ2；（条突起の先端荷重）＋（４面部の埋没直前の圧縮荷重）（Ｎ）
ｆ3；（条突起の先端荷重）＋（４面部の埋没圧縮荷重）＋（２面部の埋没圧縮荷重）（Ｎ）
【００９６】
（1）ジョーの下面（固定台）にゴム板を置き、その中央に約３０ｍｍ×２０ｍｍのプラスチック材を２枚重ねで置く。その中央に１０ｍｍの間隔で約２０ｍｍ×１０ｍｍの同じプラスチック材を２枚重ねて置く。
（2）２０ｍｍ×１０ｍｍの金属板の中央付近に長さ２０ｍｍの条突起（０．２〜０．５ｍｍの丸棒）を固定する
（3）条突起を固定した金属板をジョーの上面に下面と平行になるように固定する。
（4）ジョーの上面は荷重計を介して圧縮駆動源に接続する。
（5）条突起版の中心とゴム板上に置かれたプラスチック材の中心を合わせる。
（6）圧縮源を下降方向に駆動するとジョー上面の金属板がプラスチックを介してゴム板に接触が開始する。ｄ１＝ｄｎ＋(撓み代)に到達すると条突起板の面接触が始まる。
（7）下降動作がｄ１＝ｄｎ＋(撓み代)までの荷重は条突起の埋没特性を示す。この時の圧縮荷重特性は線分（ａ）となる
（8）等速で圧縮操作を続け、ｄ１を超して、４面部の圧縮が開始される。
この時の荷重は条突起と４面部の埋没荷重の和を示す。この時の圧縮荷重特性は線分（ｂ）となる
（9）更に圧縮を継続すると４面部の埋没が完了してｄ２に到達して、２面部の圧縮が始まる。
（10）圧縮終了点ｄ３は２枚部に０．１〜０．４ＭＰａの応力が必要である。
又、条突起の先端に［３０〜６０Ｎ／ｃｍ］が掛かるように選択する。
もし適用したゴム板で適正条件が見い出せない場合は硬軟の違うゴム板の再選択を行う。
【００９７】
以上の経過から
（1）荷重０からｄ１を結ぶ線とその外挿線は条突起の圧縮荷重特性の線分(ａ)となる
（2）ｄ１−ｄ２を結ぶ線は［状突起の埋没荷重］と［４面部の圧縮特性］の和となる。線分(ｂ)
（3）ｄ２−ｄ３を結ぶ線は［状突起の埋没荷重］+［４面部の圧縮埋没荷重］+「２面部の圧縮埋没荷重」となる。線分(ｃ)
（4）この操作で欲しい結果は
1）「条突起の荷重」を［３０〜６０Ｎ／ｃｍ］の確保
2）２枚部に０．１〜０．４ＭＰａの応力を付与すること。
3）４枚部は高圧着になるが成り行きに任せる。
4）1）、2）の要求を同時に達成できる弾力性のゴムシートを選択する。
5）図１６（条突起と平面圧縮特性）に示した各ゴム板の圧縮特性を参照して上記のシミュレーション範囲の該当ゴム板を選択する。
6）同一ゴム板でも、条突起の高さを変化させることによって、条突起の荷重と2枚部の応力を細かく調節できる。
【００９８】
（１２）条突起の高さ決定法
図１７に示した平面圧着に移行する分岐点ｄ１は条突起４１の高さの選択で決めることができる。例として、条突起の高さ０．３ｍｍの設定は直径０．６ｍｍの丸棒を加熱体３２の加工溝に嵌めこんで０．３ｍｍ高さの条突起を設定した。同様にして、０．２〜０．９ｍｍ条突起高さを決定した。実際には相当する弧状を加熱体３１の加熱面に切削加工をすることが好ましい。
【００９９】
ｄ１をｄ１´に変化したときの様子を図１７に点線の総荷重線（２）示した。
【０１００】
条突起の大きさをｄ１´になるように小さくすると４面部の圧縮が早められるので、同じ圧縮代で２枚部の圧縮圧を高められる。そして圧縮代を小さいほうに移動できるので、最終的なゴム板の圧縮率を小さくする方策にもなる。
【０１０１】
各要素（・突起部、・４枚部面、・２枚部面）の荷重値（ｆ１〜ｆ３）は図中に示したように外挿線値の差分で求められる。
【０１０２】
圧縮代はゴム板の硬さと厚さで決まるが、０．４〜３ｍｍである。
【０１０３】
d1を小さくするために、条突起の高さを０．０５ｍｍ以下にすると材料への食い込みだけになって、効果は激減する。条突起の高さは０．０５〜２ｍｍである。好ましくは０．１〜１．５ｍｍ、特に好ましくは０．１〜１ｍｍである。
【０１０４】
必要な埋没代の管理は付与する面圧着応力／荷重源力で管理ができる。
【０１０５】
定荷重の発生源にはエアーシリンダ、油圧シリンダの圧力調整やバネを介した荷重の付与を行えば、埋没代ｄ３を直接計測の管理をしなくてよい。
又は最大圧縮代に相当するスペサーをジョー間に設置し、最大荷重より少し大きい荷重を与えれば、ゴムの弾力性によって自動的に圧縮力を付与できる。
【０１０６】
条突起４１の先端の断面は弧状に細工し、集中荷重が鋭利に作用して材料が破断しないようにすると共に材料の塑性変形の逃げ代を作る。条突起の円弧径の選択で局部圧着の集中応力を調整する。条突起高さは設定した寸法が埋没後、自動的に平面部の圧着に移行するように、好ましくは円弧の半割以下、好ましくは円弧の半径の２０〜１００％、より好ましくは５０〜１００％に設定される。
【０１０７】
条突起の幅は、通常０．０５〜２ｍｍ、好ましくは０．１〜１．５ｍｍ、特に好ましくは０．１〜１ｍｍになる。そして局部圧着の過圧着を自己制御する。
【０１０８】
条突起の長さは、少なくとも重ねにより厚くなった部分に適用すればよい。例えば、４枚部や３枚部であるが、しかし選択的に個別部位に圧着するには正確な位置決めが必要となるので、通常はヒートシール全長に設ければよい。条突起の本数は、原則１本であるが複数本、例えば２〜３本を設けてもよい。
【０１０９】
条突起は加熱体1の加熱面の中央に位置させず１本の場合、袋のシール内縁から６０〜９０％、好ましくは７０〜８０％の位置に構成して、平面接着面積を大きくして条突起シール部の保護機能を増加させるのがよい。
【０１１０】
小さい開封力の選択には小さいヒートシール強さの調節になる。すなわち低目の加熱になるから、材料の軟化度合いが小さくなるから条突起の圧着可塑変形がしにくくなる。条突起にニクロム線を適用し電流を流し発熱させ、条突起部の温度を部分的に上昇して、加熱を高温側に補完する。そして３〜５Ｎ／１５ｍｍのヒートシール強さ帯でも段差部の密封を可能にする。
【０１１１】
【表１】
2016150781.tif 000003
【０１１２】
（１３）ヒートシール強さの開封力への計算の仕方
本発明の摘み代方式の開封では、ヒートシール強さと開封力の関係は一元的に次式で表される。
（開封力）＝(ヒートシール強さ)×２×(ヒートシール幅)／１５  （Ｎ）
ヒートシール強さとヒートシール幅によって計算される代表的な開封力の計算結果を表１に示した。
【実施例】
【０１１３】
実施事例（１）本発明の構成方法の確認実験
本発明をピロー包装に適用した事例を図６(ｂ）、図７に示した。製袋と充填工程は通常の方法に従うので説明は省略する。
【０１１４】
使用包装材料は、ＰＥＴ；２０μｍ／イージーピール仕様のポリプロピレン複合材；３０μｍ、合計の材料厚さ；５０μｍの「層間剥離」タイプの市販包装材料である。この包装材料の溶着面温度とヒートシール強さの関係を測定した結果を図８に示す。
【０１１５】
図８中のＡ点は加熱温度９０℃の選択で約３Ｎ／１５ｍｍを得ることを示している。同様にＢ、Ｃ点は約７Ｎ／１５ｍｍ、  約８Ｎ／１５ｍｍを得る加熱温度を示している。
【０１１６】
段差部の確実なシールと均一な仕上げのために一条の条シールも適用した。
摘み代Ａ１３、摘み代Ｂ１４の細工方法を図７に沿って説明する。
ヒートシール部Ａ−Ｂの断面図を図７(Ｂ）に示した。
【０１１７】
ピロー包装袋はプラスチックフイルムを先ず二つ折りにして、その端面を約１２ｍｍに選択してヒートシールして円筒状に加工する。ヒートシール面は摘み代Ｂ１４のフィン（合掌貼り）になる。このフィンが略中央になるように折り、センターシール（背貼り）とする。
【０１１８】
センターシールの根元に正対するように反対側に位置する胴部のフイルムを摘み代Ａ１３用フィンに折る。かつ、それぞれのフィンが反対方向に向くように折り重ね、この状態を維持して、一端をセンターシールに直交するようにヒートシールを施す。
【０１１９】
交差シール部を摘み部Ａ４３、摘み部Ｂ４４とする。他端の摘み部Ａ４３、摘み部Ｂ４４は製品を充填してからシールをする。開封操作には上下のどちらを選択してもよい。本説明では上部を使用した例で説明する。［図７(Ｂ）参照］
【０１２０】
実際の自動ヒートシール工程では、両端のヒートシール幅に相当する部位の約２倍を同時にシールした後に中央付近をカットして上下のヒートシール部作成している。本発明においても通常の方法を準用できる。
【０１２１】
二つのフィンを折り重ねるとき、フイルムの折り曲げ点の先端（根元）のズレを０〜２ｍｍにする。好ましくは０〜１ｍｍとして、開封操作力をヒートシール接着面に直角に作用させる。このシール操作によって一対の摘み代を完成した。［図７（Ａ）、（Ｂ）参照］
【０１２２】
開封操作時には二つの摘み部Ａ４３、摘み部Ｂ４４を引き立てて摘まんで引っ張る。［図７(Ｃ)参照］
開封操作によって、ヒートシール面は直角の方向に剥離する。［図７(Ｄ)参照］
【０１２３】
本発明の開封操作によって開口部はヒートシール面から９０°の方向に形状変更して包装物が移動したり、袋材の形状が変化する。これらの応力が開封力に付加するが、この実際の応力は１Ｎ程度であった。［図７（Ｄ）参照］
【０１２４】
本発明の摘み代方式による開封は、ヒートシール面のみに作用するから、開封操作開始時の容積変化は胴部の摘み開封方式より非常に小さい。図９に示したように1〜２ｍｍの開封で貫通孔が直ぐにでき外気とつながるので陰圧による大気圧の押さえつけ阻害は起こらなかった。
【０１２５】
先に示した操作力の調査結果［００１９］と［０１１２］の開封力の演算式を参照して、２０Ｎを開封力の上限とするとヒートシール強さとヒートシール幅の組み合わせの表１から制限ヒートシール強さを導き出すとヒートシール幅が１０ｍｍでは、約１５Ｎ／１５ｍｍ、１２ｍｍでは約１３Ｎ／１５ｍｍ、１５ｍｍでは約１０Ｎ／１５ｍｍの制限となる。この実験では、ヒートシール幅は常用されている１２ｍｍとした。
【０１２６】
図８のヒートシール特性から、溶着面温度が９０、１０６、１１０℃の加熱によって、ヒートシール強さを４、７、８Ｎ/１５ｍｍに調節した。
【０１２７】
人手開封と同等の引張試験方法で開封力を計測した。それぞれ開封力は（６〜７Ｎ）、約１１Ｎ、１２〜１３Ｎを示した。これらの開封パターンを統合して図９に示した。開封力はヒートシール強さの略２倍の一定値に到達して快適な開封が進行できた。約７Ｎと１０Ｎの実際の開封試験では、小学生低学年の子供でも容易な開封ができた。本発明の特長と優位性を確認した。
【０１２８】
実施事例（２）開口寸法の調節方法
摘み代Ａ１３、摘み代Ｂ１４をヒートシール部２の中央付近に設置すると全開封ができる。
【０１２９】
流動性のある商品では必ずしも全開封を好まない場合も多い。
【０１３０】
本発明の摘み代Ａ１３、摘み代Ｂ１４の設置箇所を変更することによって、開口長さと開封位置（左右のどちらか）を自由に設定できる。
【０１３１】
図１１を用いて開口寸法の調節方法を説明する。
（１）開口部の位置を決める。（左右のどちらか）
（２）（開口部寸法）＝（開封制限代）×２  の関係から開口寸法を決定する
（３）センターシールフィン１５、摘み代フィン１６を開封制限代２４の設定位置に合わせてヒートシールを行う。
【０１３２】
以上の設定、作成で摘み代長さ２０、２１の制限範囲を限度にして開口寸法が調節できる。本方法で開封後、全開封が必要になったら、未開封部位に隣接する開封済部位の一部を摘んで引張れば、始めの開封力の約１／２（接着強さ）で容易に追加開封ができる。
【０１３３】
この方法はガセット袋の一つを摘み代フィン１６に転用する場合にも同様に適用できる。
【０１３４】
実施事例（３）ガセット袋フィンの利用
充填物の容積が大きい商品を平面袋に充填すると袋にタックができたり、袋の四隅のヒートシール部の先端が角状の突起になり、商品の見栄えや展示性を低下させる。この対策として袋の左右にタックを形成して、ガセット折り２７を付加し、断面が四辺形になるようにしている。
【０１３５】
ガセット折りの一つを摘み代１３に利用する形成方法を図１２で説明する。
（１）開口部の位置を決める。（左右のどちらか）
（２）ガセットの内側折り部にピロー包装のセンターシールの根元を正対シールさせる。
（３）センターシールに正対するガセットフィンを摘み代１３に転用する。
（４）ガセットフィンを利用すれば新たな摘み代用フィン１６の作成を省略できる。
（５）ガセットフィンの長さが所望の開口寸法に近ければ開口寸法の調節にも適用できる。
【０１３６】
本方法で開封後、全開封が必要になったら、未開封部位に隣接する開封済部位の一部を摘んで引張れば、約１／２の開封力（接着強さ）で容易に追加開封ができる。
【０１３７】
実施事例（４）摘み片を適用した平面シール袋の開封
平面シール袋の場合、摘み代１３、１４の摘み部位に相当する部分の摘み片を別に作成して、ヒートシール強さより大きな接着力で、平面シール部位に貼り付けを追加しても同等な効用が得られた。
【０１３８】
実施事例(５)  条シールの実施事例
次の条件においてヒートシールを行った。
・線径：０．４、０．６、１．０ｍｍΦ（ニクロム線）をアルミ板に同形の溝を掘り約５０％埋没し、条突起高さ：０．２、０．３、０．５ｍｍを作成した。
・適用弾性体：ショアー硬さ；Ａ５０、Ａ７０、Ａ８０  厚さ；３、５ｍｍの耐熱シリコンゴム
・試料：単一フイルム：ポリプロピレン(ＣＰＰ)；５０μｍ
・試料構成：ガセット部長さ；２０ｍｍ×２、センターシール幅；２０ｍｍ、
２枚部；３５ｍｍ×２
・試料全長；１３０ｍｍ、ヒートシール幅；１５ｍｍ（条シールの内側；１０ｍｍ、外側；５ｍｍ）
・圧着面積；１９５０ｍｍ２  （図１４（ａ）参照）
・試験条件：試料のカバー材；０．０５ｍｍ
「テフロン（登録商標）」シート（平滑）の適用；材料の加熱体への溶着防御用
・荷重調整：精密圧力調整によるエアーシリンダ出力；０．３〜０．６ＭＰａ／付与荷重；４００〜８００Ｎ
・加熱：加熱体表面温度調節（±０．２℃）
・加熱補完；３〜５Ｎ／１５ｍｍのヒートシール強さ帯で密封が困難な場合、条突起をニクロム線で構成して、これに電流を流して、０．１８〜０．２Ｗ／ｃｍの発熱補完をした。
【０１３９】
シリコンゴムの表面温度を設定温度になるように、ヒートシール材料４の加熱前に加熱体１を弾性体１２に圧接して弾性体を設定温度に加熱後、速やかにヒートシール材料４を圧着加熱した。
【０１４０】
加熱時間；溶着面温度応答計測による最短（９９．９％)の平衡温度到達時間に１ｓを加算して４ｓとした。
加熱後処理；圧着加熱終了後直ちに室温のアルミニュームブロックを約０．０５ＭＰａ圧接して冷却した。
【０１４１】
・評価試験
接着強さ(２枚部）：JIS Z 0238, ASTM F88-07aに準拠して、サンプル幅：１５ｍｍ、グリップ間距離；６０ｍｍ、引張速さ;５０ｍｍ／ｍｉｎ. で引張試験を行った。
【０１４２】
・平面接着部の剥離エネルギー計測による防御機能の評価
局部密着部の観察；探傷液をヒートシール線の内側に点滴し、数分後の浸透状況を×１５のルーペを使用して、目視観察評価をした。
弾性体Ａ５０、Ａ７０、Ａ８０、厚さ３、５ｍｍ、条突起の高さ０．２、０．３、０．５ｍｍの実施結果の密封性、接着面の仕上がり目視評価例を表２〜４に示した。
表中、／の左側は、接着面の仕上がりを、右側は密封性を示している。
接着面の仕上がりは下記の評価による。
○    条突起付近を除きに２枚面シール部に皺の発生のない仕上がり
△    ２枚面に皺がまばらに残っている状態
×    ２枚面の全面に皺が発生している状態
密封性は下記の評価による。
○    完全に密封が完成している状態
△    1〜２ヶ所の密封が未完成の状態
×    ３か所以上の密封が未完成の状態
表の各枠内の記号は次の状態を示している
ＮＧ  密封不可（加熱補完なしの場合）
Ｇ    密封が完成
Ｉ    加熱補完による密封の改善
評価の基準としては２枚部に皺があっても密封が完成したものはよしとしている。
ＳＣ  圧縮率３０％超の圧着領域
３０％を超えると条突起の圧縮部分の変形率が最も大きい。繰り替えしの操作で、特に条突起部分の当たるシリコンゴムの損傷が激しい。この部位の圧縮跡が残らない圧縮率を実験的に求めた。
【０１４３】
表２〜４に条突起高さが０．２,０．３,０．５ｍｍをパラメータにした試験結果を示した。加熱温度が１３６〜１３８℃（ヒートシール強さ；２．８〜３．２Ｎ/１５ｍｍ）の剥がれシール帯において、圧着圧の制限域（０．２７Ｍｐａ）付近までは密封が不可である。
【０１４４】
１４０〜１４４℃の加熱（ヒートシール強さ；５〜１４Ｎ／１５ｍｍ）では制限圧着圧内で密封が完成している。
【０１４５】
条突起高さ、弾性体の硬さと厚さ、加熱温度、圧着圧が制御要素として機能していることが分る。
【０１４６】
条突起をニクロム線の発熱体にして、０．１８〜０．２Ｗ／ｃｍの加熱補完をした。１３８℃加熱（ヒートシール強さ；５Ｎ／１５ｍｍ）当たりの低接着強さ帯から密封が可能になって、易開封と密封の両立が図れている。
【０１４７】
表２〜４中の［Ｇ］表示がこの効果に該当する。
【０１４８】
制御要素の選択で平面接着部のヒートシール強さの調整が容易になり、仕上がった袋体をカットせずに摘み部を図４の方法で剥がれ強さを計測して、易開封の実施達成を確認した。
【０１４９】
本発明との組み合わせによって易開封と密封の両立が可能になった。
【０１５０】
そしてこのガセット袋の条シールのあるヒートシールのセンターシールに正対して摘み代用フィンを実施事例（１）と同様にして設けることによって摘み部Ａと摘み部Ｂを設けることができる。
【産業上の利用可能性】
【０１５１】
本発明の易開封構造を包装袋に設けることによって、充分な密封性を確保しながら、子供や障碍者でも容易に開封できるので、本発明の易開封構造はフィンシール部の摘み部を手で開封しようとする包装袋に広く利用できる。
【０１５２】
【表２】
2016150781.tif 000004
【０１５３】
【表３】
2016150781.tif 000005
【０１５４】
【表４】
2016150781.tif 000006
【符号の説明】
【０１５５】
１  袋本体部 
２  ヒートシール部
３  ヒートシール幅
４  摘み点（力点）
５  破れ又は剥がれ起点
６  剥がれライン
７  剥がれライン
８  剥がれライン
９  ヒートシール強さ試験ライン
１０  摘み線
１１  剥がれ長の増加分
１２  統合剥がれライン
１３  摘み代A
１４  摘み代B
１５  センターシール（背貼り）フィン
１６  摘み代用フィン
１７  摘み代高さ
１８  根元部
１９  根元部のズレ
２０  摘み代Ａ長さ
２１  摘み代Ｂ長さ
２２  剥離部分Ａ
２３  剥離部分Ｂ
２４  開封制限代
２５  変移Ａ
２６  変移Ｂ
２７  ガセット折り部
３１  加熱体
３２  加熱体
３４  ヒートシール材料
３７  2枚部
４０  条シール部
４１  条突起
４２  弾性体
４３  摘み部Ａ
４４  摘み部Ｂ
４５  摘み面Ａ
４６  摘み面Ｂ
【図１】
2016150781.tif 000007
【図２】
2016150781.tif 000008
【図３】
2016150781.tif 000009
【図４】
2016150781.tif 000010
【図５】
2016150781.tif 000011
【図６】
2016150781.tif 000012
【図７】
2016150781.tif 000013
【図８】
2016150781.tif 000014
【図９】
2016150781.tif 000015
【図１０】
2016150781.tif 000016
【図１１】
2016150781.tif 000017
【図１２】
2016150781.tif 000018
【図１３】
2016150781.tif 000019
【図１４】
2016150781.tif 000020
【図１５】
2016150781.tif 000021
【図１６】
2016150781.tif 000022
【図１７】
2016150781.tif 000023